(57)【要約】【課題】  本発明は、引き戸の設置工事と同時に受け渡し口を設置できる引き戸装置を提供することを課題とする。【解決手段】戸先側縦枠と、戸尻側縦枠と、戸先側縦枠と戸尻側縦枠の上部を連結する上枠で形成される引き戸枠と、上枠の戸先側縦枠と戸尻側縦枠間の略中間の位置に前後一対に設けられた中間縦枠と、戸先側縦枠と中間縦枠と、戸先側縦枠と中間縦枠の上部側を連結する化粧枠とで形成された出入口開口部と、中間縦枠と戸尻側縦枠間に形成される戸袋部と、上枠に設けられるレール部材と、レール部材に開閉自在に吊り下げられる扉と、閉鎖状態の扉の上方に位置するランマパネルと、出入口開口部の戸先側に設けられた縦長矩形状の袖パネルで構成された引き戸装置において、袖パネルに上下スライド開閉窓体を設ける。【選択図】図１
2014025247.tif 000002
【特許請求の範囲】
【請求項１】
戸先側縦枠と、戸尻側縦枠と、戸先側縦枠と戸尻側縦枠の上部を連結する上枠で形成される引き戸枠と、上枠の戸先側縦枠と戸尻側縦枠間の略中間の位置に前後一対に設けられた中間縦枠と、戸先側縦枠と中間縦枠と、戸先側縦枠と中間縦枠の上部側を連結する化粧枠で形成された出入口開口部と、中間縦枠と戸尻側縦枠間に形成される戸袋部と、上枠に設けられるレール部材と、レール部材に開閉自在に吊り下げられる扉と、閉鎖状態の扉の上方に位置するランマパネルと、出入口開口部の戸先側に設けられた縦長矩形状の袖パネルで構成された引き戸装置において、袖パネルに上下スライド開閉窓体が設けられることを特徴とする引き戸装置。
【請求項２】
上下スライド開閉窓体は、定荷重ばねで上昇方向に不勢され、袖パネルには、開放された上下スライド開閉窓体が袖パネル内に収納される収納部が設けられ、該収納部内に前記定荷重ばねが納められ、該収納部の一部に着脱自在なメンテナンスパネルが設けられ、メンテナンスパネルを外すことによって、定荷重ばねが交換可能とされることを特徴とする請求項１に記載の引き戸装置。
【請求項３】
上下スライド開閉窓体の下端部に前後方向に突出した天板を有することを特徴とする請求項１あるいは請求項２に記載の引き戸装置。
【発明の詳細な説明】
【技術分野】
【０００１】
本発明は、病院、オフィス等の出入り口において、これを開閉する引き戸装置に関するものである。
【背景技術】
【０００２】
従来、病室や受付室などの出入口に設置された引き戸とは別の位置の壁面に、開閉式の窓ユニットを取り付け、引き戸を開閉することなく小物などの受け渡しができるようにする受け渡し口を設けることがあった。
しかしながら、窓ユニットと引き戸の設置工事を別々に行う必要があり、設置コストが高くなる問題があった。
また、病室などの出入口に設置される引き戸の戸先側に袖パネル体を設け、該袖パネルに窓ガラスを取り付けているものがあるが、窓ガラスは採光が主な目的であり、開閉することがなく、小物などの受け渡しには、都度、引き戸を開閉する必要があった。（例えば特許文献１）
【先行技術文献】
【特許文献】
【０００３】
【特許文献１】特開２００７−２０４９４４公報
【発明の概要】
【発明が解決しようとする課題】
【０００４】
本発明は、引き戸を開閉する必要とせず、小物などの物品の受け渡しができる受け渡し口を、引き戸の設置工事と同時に設けることができる引き戸装置を提供することを課題とする。
【課題を解決するための手段】
【０００５】
上記課題を解決する為、本発明が第１の手段として構成したところは、戸先側縦枠と、戸尻側縦枠と、戸先側縦枠と戸尻側縦枠の上部を連結する上枠で形成される引き戸枠と、上枠の戸先側縦枠と戸尻側縦枠間の略中間の位置に前後一対に設けられた中間縦枠と、戸先側縦枠と中間縦枠と、戸先側縦枠と中間縦枠の上部側を連結する化粧枠で形成された出入口開口部と、中間縦枠と戸尻側縦枠間に形成される戸袋部と、上枠に設けられるレール部材と、レール部材に開閉自在に吊り下げられる扉と、閉鎖状態の扉の上方に位置するランマパネルと、出入口開口部の戸先側に設けられた縦長矩形状の袖パネルで構成された引き戸装置において、袖パネルに上下スライド開閉窓体が設けられるものである。
【０００６】
次に上記課題を解決する為、本発明が第２の手段として構成したところは、上記第１の手段に加えて、上下スライド開閉窓体は、定荷重ばねで上昇方向に不勢され、袖パネルには、開放された上下スライド開閉窓体が袖パネル内に収納される収納部が設けられ、該収納部内に前記定荷重ばねが納められ、該収納部の一部に着脱自在なメンテナンスパネルが設けられ、メンテナンスパネルを外すことによって、定荷重ばねが交換可能とされるものである。
【０００７】
次に上記課題を解決する為、本発明が第３の手段として構成したところは、上記第１の手段あるいは上記第２の手段に加えて、上下スライド開閉窓体の下端部に前後方向に突出する天板を有するものである。
【発明の効果】
【０００８】
第１手段として構成したところによると、上下スライド開閉する窓が袖パネルに組み込まれているので、引き戸装置を設置すると同時に、小物などの受け渡しをする受け渡し口を設けることができるので設置費用の削減が可能である。
【０００９】
第２手段として構成したところによると、上記第１の手段として構成したところによる効果に加え、上下スライド開閉窓体を上昇（開放）させる時には大きな力を必要とせず、また、上下スライド開閉窓体を下降（閉鎖）させる時には、上下スライド開閉窓体が急激に落ちることを防ぐことができる。また、上下スライド開閉窓体が袖パネル内に収納されるので、袖パネルに無用な凹凸部が発生せず意匠性が優れるだけでなく、清掃などもしやすくなる。さらに、メンテナンスパネルを外すだけで定荷重バネの交換が可能でありメンテナンス作業が容易である。
【００１０】
第３手段として構成したところによると、上記第１の手段あるいは上記第２の手段として構成したところによる効果に加え、上下スライド開閉窓体の開閉部に天板を設けているので、上下スライド開閉窓体から小物などを受け渡しする時に、小物を天板上に仮置きして、上下スライド開閉窓体を開閉可能であるため安全に受け渡し作業ができる。
【図面の簡単な説明】
【００１１】
【図１】本発明の扉の閉鎖状態の正面略図である。
【図２】本発明の扉の閉鎖状態の背面略図である。
【図３】図１のＡ―Ａ線断面拡大図である。
【図４】図１のＢ―Ｂ線断面拡大図である。
【図５】図１のＣ―Ｃ線断面拡大図である。
【図６】図１のＤ―Ｄ線断面拡大図である。
【図７】図１のＥ―Ｅ線断面拡大図である。
【発明を実施するための形態】
【００１２】
戸先側縦枠と、戸尻側縦枠と、戸先側縦枠と戸尻側縦枠の上部を連結する上枠で形成される引き戸枠と、上枠の戸先側縦枠と戸尻側縦枠間の略中間の位置に前後一対に設けられた中間縦枠と、戸先側縦枠と中間縦枠と、戸先側縦枠と中間縦枠の上部側を連結する化粧枠とで形成された出入口開口部と、中間縦枠と戸尻側縦枠間に形成される戸袋部と、上枠に設けられるレール部材と、レール部材に開閉自在に吊り下げられる扉と、閉鎖状態の扉の上方に位置するランマパネルと、出入口開口部の戸先側に設けられた縦長矩形状の袖パネルで構成された引き戸装置において、袖パネルに上下スライド開閉窓体と、上下スライド開閉窓体の下端部に前後方向に張り出した天板が設けられ、上下スライド開閉窓体は、定荷重ばねで上昇方向に不勢され、袖パネルには、開放された上下スライド開閉窓体が袖パネル内に収納される収納部が設けられ、該収納部内に前記定荷重ばねを納められ、該収納部の一部に着脱自在なメンテナンスパネルが設けられ、メンテナンスパネルを外すことによって、定荷重ばねが交換可能とされるものである。
【実施例】
【００１３】
以下、第１実施例を添付図面に基づいて詳述する。
図１、図２において、符号１は引き戸枠を示している。
引き戸枠１は、図３、図４、図５に示すように、建物用鉄骨１１・・・にブラケット１２・・・を介して固定された戸尻側縦枠１３および戸先側縦枠１４と、戸尻側縦枠１３と戸先側縦枠１４の上端間に配設され、建物用鉄骨１１・・・に連結された上枠１５等より構成されている。
【００１４】
そして、戸尻側縦枠１３と戸先側縦枠１４間のほぼ中間位置で、上枠１５の前側（実施例では室内側、）と後側（実施例では室外側）の両面に上端が連結され、下端部が床面に埋め込まれた前中間縦枠３と後中間縦枠３０が、前後に所定間隔を有して配設されている。
以下、戸尻側縦枠１３と前後中間縦枠３、３０間を戸袋側、戸先側縦枠１４と前後中間縦枠３、３０間を出入口側、前中間縦枠３と後中間縦枠３０の方向を前後方向、戸尻側縦枠１３と戸先側縦枠１４の方向を開閉方向と云う。
【００１５】
図３、図４において、符号２は、上枠１５の内面に、開閉方向の両端部が高さ調節可能であって戸先側から戸尻側に向かって高くなるように傾斜した状態で連結されているレール保持材を示している。
レール保持材２の前面側にはレール部材５が取付けられ、レール部材５には扉６が吊り下げられている。符号１６は、戸袋部の床面全幅にわたって固定されたベース材を示し、図４において、符号４は、ベース材１６の出入口側端部に設けられたガイド装置を示している。
図１、図２において、符号１７、１７、１７、１７、１７、１７は、戸尻側縦枠１３と前後中間縦枠３、３０間に配設された補強材を示している。
符号１８は、前中間縦枠３と戸先側縦枠１４の上端部間に配設された、前中間縦枠３の前後方向の幅とほぼ同じ幅を有する、前化粧枠を示し、符号１９は、後中間縦枠３０と戸先側縦枠１４の上端部間に配設された、後中間縦枠３０の前後方向の幅とほぼ同じ幅を有する、後化粧枠を示している。
符号９は、戸先側縦枠１４の中間縦枠側面に設けられた袖パネルを示している。
【００１６】
そして、上記戸尻側縦枠１３、戸先側縦枠１４、上枠１５、レール部材５が取り付けられたレール保持材２、ベース材１６、前中間縦枠３、後中間縦枠３０、下地補強材１７、ガイド装置４、前化粧枠１８、後化粧枠１９、袖パネル９が内装仕上げ（化粧ボード１００、クロス等の貼り付け）の行われるまでに施工され、内装仕上げが終了した後、扉６がレール部材５に吊り込まれ、床面との調整、扉６の摺動確認、閉鎖スピードの調整作業、レール保持材２の連結固定等が行われる。そして、その後、ランマパネル８が扉６の上方に取付けられる。
本発明では、施工が完了した状態では、戸先側縦枠１４、前中間縦枠３、後中間縦枠３０、前化粧枠１８、後化粧枠１９、ランマパネル８、扉６、袖パネル９以外は化粧ボード１００で隠蔽された状態となる。
【００１７】
以下、本件発明に関係する部材について詳述する。
戸尻側縦枠１３は横断面略コ字形に形成され、建物用鉄骨１１の出入口側面から所定寸法離間した位置に立設され、横向きL字形のブラケット１２・・・と建物用鉄骨１１が溶接されたあと、鉛直姿勢の状態でブラケット１２と溶接される。
【００１８】
戸先側縦枠１４は、図５に示す如く、建物側鉄骨１１側の上下方向に所定間隔を有して固定用部材１４１・・・が設けられ、前後方向で室内側と室外側（前後）に突出して室内側の化粧ボード１００の出入り口側端面を隠蔽する室内側ボード閉塞突部１４６と、室外側の化粧ボード１００の出入口側端面を隠蔽する室外側ボード閉塞突部１４７とを有している。
【００１９】
上枠１５は、図３、図４に示す如く、室外側に縦壁面１５２を有し、室内側が大きく開口とされた断面下向きコ字形に構成され、建物用鉄骨１１の下面から所定寸法離間した位置の戸尻側縦枠１３と戸先側縦枠１４の上端間に水平に配設され、縦向きL字形のブラケット１２・・・を介して建物用鉄骨１１と溶接される。
【００２０】
戸先側縦枠１４と戸尻側縦枠１３と上枠１５は上記のように構成され、戸先側縦枠１４と戸尻側縦枠１３と上枠１５を平面で三方に組み上げた後、立設し、前述のとおり、建物用鉄骨１１と溶接連結する。
【００２１】
ベース材１６は、図４に示す如く、戸袋側の床面全幅に位置する固定面１６１と、固定面１６１の室内側（点検側）及び室外側（固定側）の端部に形成された立ち上がり面１６２、１６２と、立ち上がり面１６２、１６２から内方に突出して形成されたＬ字形の下地ボード受け面１６３、１６３とを有し、固定面１６１の出入り口側端部に、扉６の下端面に形成された嵌合溝６０と連係するガイド装置４が出入り口側に突出して設けられている。ガイド装置４は、扉６の下端面に形成された嵌合溝６０内に嵌合するガイドローラー４１と、該ガイドローラー４１を上面で回転自在に保持するガイドローラー取付部材４２からなり、ガイドローラー取付部材４２はアンカーボルトにて床面に固定される。
そして、ベース材１６の出入口側端部は室内側中枠３、室外側中枠３０の内面と連結され、さらに、戸尻側端部が戸尻側縦枠１３と連結され床面に固定される。
【００２２】
前後補強材１７は、戸袋部の前後面に上下方向に所定間隔を有して配設され、戸先側端部は前中間縦枠３、後中間縦枠３０に係合して取付けられ、戸尻側縦枠１３側端部は戸尻側縦枠１３の前面側、後面側にネジ止めされている。
【００２３】
室内側中枠３は、上端部が上枠１５の室内側にネジ止め連結され、内面側に位置する補強枠３１と、外面側（室内側）に位置する室内側外側枠３２より構成されている。
そして、室内側外側枠３２は、出入り口側の端部から室内側に突出し、室内側戸袋化粧ボード１００の出入口側端部を隠蔽する室内側中枠突部３３と、室内側中枠突部３３の内面側端部から戸尻側縦枠１３方向に突出し、室内側戸袋化粧ボード１００が貼り付けられる化粧ボード支持部３４を有し、下端部がベース材１６と連結され、床面仕上げ時に下端が床面に埋め込まれて立設される。
【００２４】
室外側中枠３０は、上端部が上枠１５の上部の室外側にネジ止め連結され、その下方部で上枠縦壁面１５２の下端部の室外側に室内側からネジ止め連結され、内面側に位置する室外側補強枠３０１と、室外側補強枠３０１の出入り口側の端部から室外側に位置する室外側外側枠３０２より構成されている。
室外側外側枠３０２は、室外側補強枠３０１の出入り口側の端部から室外側に突出し、室外側戸袋化粧ボード１００の出入口側端部を隠蔽する室外側中枠突部３０３と、室外側中枠突部３０３の内面側端部から戸尻側縦枠１３方向に突出し、室外側戸袋化粧ボード１００が貼り付けられる室外側化粧ボード支持部３０４とを有し、下端部がベース材１６と連結され、床面仕上げ時に下端が床面に埋め込まれて立設される。
【００２５】
前化粧枠１８は、開閉方向の左右端部が前中間縦枠３の上端部内面と戸先側縦枠１４の上端部前内面間に配設され、後化粧枠１９は、開閉方向の左右端部が後中間縦枠３０の上端部内面と戸先側縦枠１４の上端部後側内面間に配設される。
【００２６】
袖パネル９は、床面から後化粧枠１９の下端部までの高さで縦長矩形を成し、扉６より前後方向に厚く、戸先側縦枠１４の前後面から突出しない程度の厚みに形成され、戸先側縦枠１４の中間縦枠側面に設けられている。
【００２７】
以下、袖パネル９の構成を詳述する。
袖パネル９は、縦長矩形の四方枠を成すフレーム体９０と、フレーム体９０の上下方向中間部付近の位置に設けられた上下スライド開閉窓体９５と、上下スライド開閉窓体９５の下端部付近に設けられた天板９６と、上下スライド開閉窓体９５の上部のフレーム枠９０に前後一対に設けられた上部メンテナンスパネル９７、９７と、天板９６の下部のフレーム枠９０に前後一対に設けられた下部メンテナンスパネル９８、９８で構成されている。
【００２８】
フレーム体９０は、戸先側縦フレーム９１と、戸尻側縦フレーム９２と、戸先側縦フレーム９１と戸尻側縦フレーム９２の上端を連結する上部フレーム９３と、戸先側縦フレーム９１と戸尻側縦フレーム９２の下端を連結する下部フレーム９４で四方枠型に組まれている。
【００２９】
戸先側縦フレーム９１は、平面視において前後方向に長い矩形を成し、戸先側面９１１は、戸先側縦枠１４の中間縦枠側面１４２に当接し、戸先側縦枠１４の中間縦枠側面１４２に設けられた螺孔に螺合できるように貫通孔（図示せず）が複数個所設けられ、戸尻側面９１３は、上下方向に渡って設けられる戸先側スライド凹部９１４を有し、戸先側スライド凹部９１４には、スライドレール９１５が設けられている。
【００３０】
戸尻側縦フレーム９２は、平面視において前後方向に長い矩形を成し、戸先側面９２１は、上下方向に渡って設けられる戸尻側スライド凹部９２２を有し、戸尻側スライド凹部９２２には、スライドレール９１５が設けられ、戸尻側面９２３は、上下方向に渡って設けられる戸当り凹部９２４を有している。
【００３１】
上部フレーム９３は、側面視において前後方向で室内側と室外側（前後）に長い矩形で上面が開口したコの字状を成しており、袖パネル９の上部を上枠１５の内面に固定するための上部取付金具９３１が上部に突出して設けられている。
【００３２】
下部フレーム９４は、側面視において前後方向で室内側と室外側（前後）に長い矩形で上面が開口したコの字状を成しており、下面には床面とアンカー止めするための固定孔（図示せず）が複数設けられている。
【００３３】
そして、戸先側スライド凹部９１４と戸尻側スライド凹部９２２との間に、上下スライド開閉窓体９５が上下方向に昇降可能に取り付けられている。
【００３４】
上下スライド開閉窓体９５は、戸先側縦窓枠９５１と、戸尻側縦窓枠９５２と、戸先側縦窓枠９５１と戸尻側縦窓枠９５２の上端を連結する上部窓枠９５３と、戸先側縦窓枠９５１と戸尻側縦窓枠９５２の下端を連結する上部窓枠９５４で正面視においてやや縦長の矩形を成す四方枠型に組まれ、該四方枠内側にガラス板がコーキング剤にて装着されているものであって、横幅は、戸先側縦フレーム９１と戸尻側縦フレーム９２の対向面間寸法よりやや大きく、厚みは、戸先側スライド凹部９１４と戸尻側スライド凹部９２２の前後方向の寸法より小さく設定され、戸先側縦窓枠９５１の戸先側面と、戸尻側縦窓枠９５２の戸尻側面にそれぞれ取り付けられた滑動部材９５ａが、戸先側スライド凹部９１４と戸尻側スライド凹部に設けられたスライドレール９１５を挟持することによって、戸先側スライド凹部９１４と戸尻側スライド凹部９２２に内包された状態で、かつ上下方向に昇降可能に取り付けられる。
【００３５】
また、袖パネル９の上部フレーム９３の下面に定荷重巻きバネ９ｂを取り付け、定荷重巻きバネ９ｂを引き伸ばし、上下スライド開閉窓体９５の上部窓枠９５３の上面に連結させている。定荷重巻きバネ９ｂの巻き取り力は、上下スライド開閉窓体９５を上昇させない程度で最大に設定されており、定荷重巻きバネ９ｂの巻き取り作用によって、上下スライド開閉窓体９５を上昇させる時には大きな力を必要とせず、また、上下スライド開閉窓体９５を下降させる時には、上下スライド開閉窓体９５が急激に落ちることを防ぐことができる。
符号９ｃは窓を所定の位置で固定するためのストッパーであって、戸先側縦フレーム９１と戸尻側縦フレーム９２に複数個所に設けられた嵌合孔９ｄに嵌合することによって、上下スライド開閉窓体９５の開放状態、あるいは閉鎖状態を維持することができる。
【００３６】
天板９６は、フレーム体９０より前後方向に突出する大きさで、上下スライド開閉窓体９５の幅を略同じ幅の大きさの板状であって前端、後端を平面視で凸状に曲線をした形状を成している。
そして天板９６は、閉めた状態のフレーム体９０の上下スライド開閉窓体９５の下端部付近に取り付けられた支持座９６１の上面に取り付けられる。
尚、実施例１において、天板９６の室外側の突出量が少ないのは、通常室外側は廊下とされ、廊下は人やワゴンなどの行き来が多いので天板の突出量が大きいと邪魔になるからである。また、天板の前後長は、上下スライド開閉窓体９５を開放した状態で、Ａ４用紙の長尺方向と同じ３００ミリメートル程度の大きさが望ましい。このような大きさにすることにより、物品を置くだけでなくメモ書きなどを行うことができる。
【００３７】
室外側の上部メンテナンスパネル９７と下部メンテナンスパネル９８は、室内側から戸先側縦フレーム９１と戸尻側縦フレーム９２の対向面にそれぞれ設けられたアングル材にネジ止めされる。
そして、室内側の上部メンテナンスパネル９７と下部メンテナンスパネル９８は、キャッチ部材を介して戸先側縦フレーム９１と戸尻側縦フレーム９２の対向面にそれぞれ設けられたアングル材に、工具不要で着脱可能に取り付けられる。
【００３８】
そして、上部メンテナンスパネル９７を外すと、定荷重巻きバネ９ｂを交換できるだけでなく、滑動部材９５ａなどの消耗品の交換も可能となる。
また、下部メンテナンスパネル９８を外すことによって、下部フレーム９４と床面をアンカー止めする作業ができる。
【００３９】
このように構成された袖パネル９は、まず上部メンテナンスパネル９７、下部メンテナンスパネル９８を外した状態で、袖パネル９の戸先側面９１１を戸先側縦枠１４の中間縦枠側面１４２に当接させ、前述の通り、戸先側縦枠１４に螺合する。
そして、下部フレーム９４の下面を床面にアンカー止めする。
次に上部フレーム９３の上部取付金具９３１を上枠１５の内面に螺合し固定する。
最後に上部メンテナンスパネル９７、下部メンテナンスパネル９８を取り付けることによって、袖パネル９は、引き戸枠１に取り付けられる。
【００４０】
ランマパネル８は、戸尻側縦枠１３と前中間縦枠３と前化粧枠１８と袖パネルの上部との間で形成される空間８１を、該空間８１から臨む上枠１５を隠蔽するように正面視において横長の板状に形成されるものである。
【００４１】
レール保持材２は、図３、図４に示すように、レール部材５が前側に連結されるレール部材連結壁を有し、上枠１５の室内側面に、戸先側から戸尻側に向かって高くなるように傾斜した状態で連結されている。すなわち、扉６は、レール部材５の傾斜によって、常に閉鎖方向に移動するよう付勢されている。
【００４２】
レール部材５は、レール保持材２のほぼ全幅に渡って配設され、図３に示すように、断面略C字形で、レール保持材２よりやや短目のレール補強部材と、レール補強部材の室内側にネジ止め連結される断面略C字形で、レール補強部材とほぼ同長の外側メンバーと、外側メンバーの略３分の２程度の長さのボールリテーナに回転自在に保持されたボールを介して、外側メンバーに摺動自在に保持される、外側メンバーの略３分の１程度の長さの移動側メンバーより構成され、移動側メンバーの前面側には、移動側メンバーと同程度の長さの吊り下げ用金具５１が固着されている。
【００４３】
吊り下げ用金具５１は、図３に示すように、移動側メンバーの前面側に固着される連結固着部５２と、連結固着部５２の下端部に連設された前面側が開口するコ字形の吊り下げ支持部５３より構成されている。
そして、吊り下げ支持部５３の開閉方向側両端部には、前面側が開口する吊り下げボルト挿通孔が形成されている。
【００４４】
吊り下げ用金具５１に吊り下げられる扉６は、前記吊り下げボルト挿通孔に対応する位置で、上端面に吊り下げボルト６１、６１が設けられた、パネル形状をなし、下端面の開閉方向に前記ガイドローラー４１が嵌合する嵌合溝６０が形成され、扉６の戸先側端面には、扉６の閉鎖状態で袖パネル９の戸当り凹部９２４に当接する戸当たり部材６００が設けられている。
符号３００は、扉６の戸先側端部（引き残し部）に設けられた取手を示している。
【００４５】
吊り下げボルト６１は、螺軸部とボルト頭部よりなり、点検パネル８が取外された状態の出入口の前側より、吊り下げボルト６１、６１の螺軸部が、吊り下げ支持部５３の吊り下げボルト挿通孔を挿通して、ボルト頭部が吊り下げ用支持部５３に保持され、必要に応じて頭部をスパナで回動して扉６を所定の高さに位置させた後、ボルト保持体６５、６５が吊り下げ用支持部５３に前側より連結されて、レール部材５に吊り下げ用金具５１を介して吊り下げられる。
【００４６】
本発明は、上記のように構成され、ランマパネル８が取り外された状態で扉６が吊り下げられ、すべての調整を終了した後、ランマパネル８が取付けられる。
【符号の説明】
【００４７】
１          引き戸枠
１１        建物用鉄骨
１３        戸尻側縦枠
１４        戸先側縦枠
１５        上枠
２          レール保持材
３          前中間縦枠
３０        後中間縦枠
６          扉
８          ランマパネル
９          袖パネル
９５        上下スライド開閉窓体
９ｂ        定荷重巻きバネ
９６        天板
９７        上部メンテナンスパネル
９８        下部メンテナンスパネル
【図１】
2014025247.tif 000003
【図２】
2014025247.tif 000004
【図３】
2014025247.tif 000005
【図４】
2014025247.tif 000006
【図５】
2014025247.tif 000007
【図６】
2014025247.tif 000008
【図７】
2014025247.tif 000009